(57)【要約】  本発明は、デジタルパスバンドデータを伝送するアクティブ分散アンテナシステム（ＤＡＳ）の実現に関する。本発明の第１態様においては、ＤＡＳ（１００）においてデジタルデータを伝送する方法が提供される。本方法は、少なくとも１つのデータソース（１０１〜１０４）からデータを受信する（Ｓ１０１）ことと、受信されたデータを処理する（Ｓ１０２）ことと、処理されたデータを、ＤＡＳ（１００）内での更なる伝送のためのデジタル実数値パスバンドデータとして提供する（Ｓ１０３）ことと、を備えている。【選択図】図６ｄ
2020513706.tif 000002
【特許請求の範囲】
【請求項１】
分散アンテナシステム（ＤＡＳ）（１００）においてデジタルデータを伝送する方法であり、
少なくとも１つのデータソース（１０１、１０２、１０３、１０４）からデータを受信する（Ｓ１０１）ことと、
受信された前記データを処理する（Ｓ１０２）ことと、
処理された前記データを、前記ＤＡＳ（１００）内での更なる伝送のためのデジタル実数値パスバンドデータとして提供する（Ｓ１０３）ことと、
を備えていることを特徴とする方法。
【請求項２】
受信された前記データを前記処理する（Ｓ１０２）ことは更に、
少なくとも１つのデータソース（１０１、１０２、１０３、１０４）により提供される、複合データとして受信され、フィルタリングの前にデジタル化されるチャネルをフィルタリングする（Ｓ１０２ｂ’）ことと、
各フィルタリングされたチャネルの前記データを、リサンプリングされるフィルタリングされた前記チャネルの前記データの最大帯域幅に適合されている削減されたサンプルレートでリサンプリングする（Ｓ１０２ｂ”）ことと、
を備えていることを特徴とする請求項１に記載の方法。
【請求項３】
削減された前記サンプルレートは、リサンプリングされるフィルタリングされた前記チャネルの前記最大帯域幅の信号の帯域幅の少なくとも２倍となるように選択されることを特徴とする請求項２に記載の方法。
【請求項４】
受信された前記データは、中間周波数（ＩＦ）データにミックスダウン且つ直交復調された、アナログ無線周波数（ＲＦ）データとして受信される（Ｓ１０１）ことを特徴とする請求項１から３の何れか１項に記載の方法。
【請求項５】
受信された前記データは、アナログ無線周波数（ＲＦ）データとして受信され（Ｓ１０１）、受信された前記データの前記処理（Ｓ１０２）は、
前記アナログＲＦデータを、直交復調器により、中間周波数（ＩＦ）データにミックスダウン且つ復調する（Ｓ１０２ａ）ことを備えていることを特徴とする請求項１から３の何れか１項に記載の方法。
【請求項６】
前記アナログＲＦデータはゼロＩＦにミックスダウンされ、受信された前記データの前記処理（Ｓ１０２）は更に、
復調された前記ＩＦデータをサンプリングする（Ｓ１０２ｂ）ことと、デジタルベースバンドデータを作成するための処理と、
前記デジタルベースバンドデータをアップサンプリングする（Ｓ１０２ｃ）ことと、
正の周波数全体において、または負の周波数全体において位置するデータを得るために、アップサンプリングされた前記デジタルベースバンドデータの前記周波数をシフトする（Ｓ１０２ｄ）ことと、
前記ＤＡＳ内での更なる伝送のためのデジタル実数値パスバンドデータを作成するために、各周波数シフトされたデジタルベースバンドデータサンプルの実部または虚部成分の何れかを破棄する（Ｓ１０２ｅ）ことと、
を備えていることを特徴とする請求項４または５に記載の方法。
【請求項７】
前記アナログＲＦデータは非ゼロＩＦにミックスダウンされ、受信された前記データの前記処理（Ｓ１０２）は更に、
デジタルパスバンドデータを作成するために、復調された前記ＩＦデータをサンプリングする（Ｓ１０２ｂ）ことと、
正の周波数全体において、または負の周波数全体において位置するデータを得るために、前記デジタルパスバンドデータの前記周波数をシフトする（Ｓ１０２ｄ’）ことと、
前記ＤＡＳ内での更なる伝送のためのデジタル実数値パスバンドデータを作成するために、各周波数シフトされたデジタルパスバンドデータサンプルの実部または虚部成分の何れかを破棄する（Ｓ１０２ｅ）ことと、
を備えていることを特徴とする請求項４または５に記載の方法。
【請求項８】
受信された前記データは、中間周波数（ＩＦ）データにミックスダウン且つ非直交復調されたアナログ無線周波数（ＲＦ）データとして受信される（Ｓ１０１）ことを特徴とする請求項１から３の何れか１項に記載の方法。
【請求項９】
受信された前記データは、アナログ無線周波数（ＲＦ）データとして受信され（Ｓ１０１）、受信された前記データの前記処理（Ｓ１０２）は、
前記アナログＲＦデータを、非直交復調器により、中間周波数（ＩＦ）データにミックスダウン且つ復調する（Ｓ１０２ａ）ことを備えていることを特徴とする請求項１から３の何れか１項に記載の方法。
【請求項１０】
受信された前記データの前記処理（Ｓ１０２）は更に、
前記ＤＡＳ内での更なる伝送のためのデジタル実数値パスバンドデータを作成するために、復調された前記ＩＦデータをサンプリングする（Ｓ１０２ｂ）ことを備えていることを特徴とする請求項８または９に記載の方法。
【請求項１１】
前記デジタル実数値パスバンドデータを、直交復調器により、ゼロＩＦに復調する（Ｓ１０２ｂ１）ことと、
少なくとも１つのデータソース（１０１、１０２、１０３、１０４）により提供される各チャネルに対して、直交復調された前記データをフィルタリングする（Ｓ１０２ｂ’）ことと、
各チャネルの、フィルタリングされた前記直交復調されたデータを、リサンプリングされる前記チャネルの直交復調された前記データの最大帯域幅に適合された、削減されたサンプルレートでリサンプリングする（Ｓ１０２ｂ”）ことと、
実数値デジタルベースバンド信号を、前記ＤＡＳ（１００）内での更なる伝送のための実数値デジタルパスバンド信号に変換する（Ｓ１０３ａ）ことと、
を更に備えていることを特徴とする請求項１０に記載の方法。
【請求項１２】
受信された前記データは、非直交復調されたアナログ無線周波数（ＲＦ）データとして受信される（Ｓ１０１）ことを特徴とする請求項１から３の何れか１項に記載の方法。
【請求項１３】
受信された前記データは、アナログ無線周波数（ＲＦ）データとして受信され（Ｓ１０１）、受信された前記データの前記処理（Ｓ１０２）は、
前記アナログＲＦデータを、非直交復調器により復調することを備えていることを特徴とする請求項１から３の何れか１項に記載の方法。
【請求項１４】
受信された前記データの前記処理（Ｓ１０２）は更に、
復調されたＲＦデータを、前記ＤＡＳ内での更なる伝送のためのデジタル実数値パスバンドデータを作成するためにサンプリングする（Ｓ１０２ｂ）ことを備えていることを特徴とする請求項１から３の何れか１項に記載の方法。
【請求項１５】
前記少なくとも１つのデータソースは、前記データがダウンリンク方向において受信されるときは、１つ以上の無線基地局を備えていることを特徴とする請求項１から１４の何れか１項に記載の方法。
【請求項１６】
前記少なくとも１つのデータソースは、前記データがアップリンク方向において受信されるときは、１つ以上の無線通信装置を備えていることを特徴とする請求項１から１５の何れか１項に記載の方法。
【請求項１７】
分散アンテナシステム（ＤＡＳ）（１００）においてデジタルデータを伝送するように構成要素されている装置（１０７、１０８）であり、処理ユニット（３０）とメモリ（３２）を備え、前記メモリは、前記処理ユニットにより実行可能な命令（３１）を含んでおり、それにより、前記装置（１０７、１０８）は、
少なくとも１つのデータソース（１０１、１０２、１０３、１０４）からデータを受信し（Ｓ１０１）、
受信された前記データを処理し（Ｓ１０２）、
処理された前記データを、前記ＤＡＳ（１００）内での更なる伝送のためのデジタル実数値パスバンドデータとして提供する（Ｓ１０３）ように機能することを特徴とする装置（１０７、１０８）。
【請求項１８】
受信された前記データを処理する（Ｓ１０２）ときは更に、
少なくとも１つのデータソース（１０１、１０２、１０３、１０４）により提供される、複合データとして受信され、フィルタリングの前にデジタル化されるチャネルをフィルタリングし（Ｓ１０２ｂ’）、
各フィルタリングされたチャネルの前記データを、リサンプリングされるフィルタリングされた前記チャネルの前記データの最大帯域幅に適合されている削減されたサンプルレートでリサンプリングする（Ｓ１０２ｂ”）ように機能することを特徴とする請求項１７に記載の装置（１０７、１０８）。
【請求項１９】
削減された前記サンプルレートは、リサンプリングされる前記フィルタリングされたチャネルの前記最大帯域幅の信号の帯域幅の少なくとも２倍となるように選択されることを特徴とする請求項１８に記載の装置（１０７、１０８）。
【請求項２０】
更に、受信された前記データを、中間周波数（ＩＦ）データにミックスダウン且つ直交変調された、アナログ無線周波数（ＲＦ）データとして受信する（Ｓ１０１）ように機能することを特徴とする請求項１７から１９の何れか１項に記載の装置（１０７、１０８）。
【請求項２１】
更に、受信された前記データを、アナログ無線周波数（ＲＦ）データとして受信し（Ｓ１０１）、受信された前記データを処理する（Ｓ１０２）ときは更に、
前記アナログＲＦデータを、直交変調器により、中間周波数（ＩＦ）データにミックスダウン且つ復調するように機能することを特徴とする請求項１７から１９の何れか１項に記載の装置（１０７、１０８）。
【請求項２２】
更に、前記アナログＲＦデータをゼロＩＦにミックスダウンし、受信された前記データを処理する（Ｓ１０２）ときは更に、
デジタルベースバンドデータを作成するために、変調された前記ＩＦデータをサンプリングし（Ｓ１０２ｂ）、
前記デジタルベースバンドデータをアップサンプリングし（Ｓ１０２ｃ）、
正の周波数全体において、または負の周波数全体において位置するデータを得るために、アップサンプリングされた前記デジタルベースバンドデータの前記周波数をシフトし（Ｓ１０２ｄ）、
前記ＤＡＳ内での更なる伝送のためのデジタル実数値パスバンドデータを作成するために、各周波数シフトされたデジタルベースバンドデータサンプルの実部または虚部成分の何れかを破棄する（Ｓ１０２ｅ）ように機能することを特徴とする請求項２０または２１の何れか１項に記載の装置（１０７、１０８）。
【請求項２３】
更に、前記アナログＲＦデータをゼロＩＦにミックスダウンし、受信された前記データを処理する（Ｓ１０２）ときは更に、
デジタルパスバンドデータを作成するために、復調された前記ＩＦデータをサンプリングし（Ｓ１０２ｂ）、
正の周波数全体において、または負の周波数全体において位置するデータを得るために、前記デジタルパスバンドデータの前記周波数をシフトし（Ｓ１０２ｄ’）、
前記ＤＡＳ内での更なる伝送のためのデジタル実数値パスバンドデータを作成するために、各周波数シフトされたデジタルパスバンドデータサンプルの実部または虚部成分の何れかを破棄する（Ｓ１０２ｅ）ように機能することを特徴とする請求項２０または２１の何れか１項に記載の装置（１０７、１０８）。
【請求項２４】
更に、受信された前記データを、中間周波数（ＩＦ）データにミックスダウン且つ非直交復調されたアナログ無線周波数（ＲＦ）データとして受信する（Ｓ１０１）ように機能することを特徴とする請求項１７から１９の何れか１項に記載の装置（１０７、１０８）。
【請求項２５】
更に、受信された前記データを、アナログ無線周波数（ＲＦ）データとして受信し（Ｓ１０１）、受信された前記データを処理する（Ｓ１０２）ときは更に、
前記アナログＲＦデータを、非直交復調器により、中間周波数（ＩＦ）データにミックスダウン且つ復調する（Ｓ１０２ａ）ように機能することを特徴とする請求項１７から１９の何れか１項に記載の装置（１０７、１０８）。
【請求項２６】
更に、受信された前記データを処理する（Ｓ１０２）ときは、
前記ＤＡＳ内での更なる伝送のためのデジタル実数値パスバンドデータを作成するために、復調された前記ＩＦデータをサンプリングする（Ｓ１０２ｂ）ように機能することを特徴とする請求項２４または２５の何れか１項に記載の装置（１０７、１０８）。
【請求項２７】
更に、前記デジタル実数値パスバンドデータを、直交復調器により、ゼロＩＦに復調し（Ｓ１０２ｂ１）、
少なくとも１つのデータソース（１０１、１０２、１０３、１０４）により提供される各チャネルに対して、直交復調された前記データをフィルタリングし（Ｓ１０２ｂ’）、
各チャネルの、フィルタリングされた直交復調された前記データを、リサンプリングされる前記チャネルの直交復調された前記データの最大帯域幅に適合された、削減されたサンプルレートでリサンプリングし（Ｓ１０２ｂ”）、
実数値デジタルベースバンド信号を、前記ＤＡＳ（１００）内での更なる伝送のための実数値デジタルパスバンド信号に変換する（Ｓ１０３ａ）ように機能することを特徴とする請求項２６に記載の装置（１０７、１０８）。
【請求項２８】
更に、受信された前記データを、非直交復調されたアナログ無線周波数（ＲＦ）データとして受信する（Ｓ１０１）ように機能することを特徴とする請求項１７から１９の何れか１項に記載の装置（１０７、１０８）。
【請求項２９】
更に、受信された前記データを、アナログ無線周波数（ＲＦ）データとして受信し（Ｓ１０１）、受信された前記データを処理する（Ｓ１０２）ときは、
前記アナログＲＦデータを、非直交復調器により復調するように機能することを特徴とする請求項１７から１９の何れか１項に記載の装置（１０７、１０８）。
【請求項３０】
更に、受信された前記データを処理する（Ｓ１０２）ときは、
復調されたＲＦデータを、前記ＤＡＳ内での更なる伝送のためのデジタル実数値パスバンドデータを作成するためにサンプリングする（Ｓ１０２ｂ）ように機能することを特徴とする請求項１７から１９の何れか１項に記載の装置（１０７、１０８）。
【請求項３１】
前記少なくとも１つのデータソースは、前記データがダウンリンク方向において受信されるときは、１つ以上の無線基地局を備えていることを特徴とする請求項１７から３０の何れか１項に記載の装置（１０７、１０８）。
【請求項３２】
前記少なくとも１つのデータソースは、前記データがアップリンク方向において受信されるときは、１つ以上の無線通信装置を備えていることを特徴とする請求項１７から３０の何れか１項に記載の装置（１０７、１０８）。
【請求項３３】
コンピュータ実行可能命令を備えているコンピュータプログラム（３１）であり、前記コンピュータ実行可能命令が、装置（１０７、１０８）に含まれている処理ユニット（３０）上で実行されると、前記装置（１０７、１０８）に、請求項１から１６の何れか１項に記載のステップを行わせることを特徴とするコンピュータプログラム（３１）。
【請求項３４】
コンピュータ読取り可能媒体（３２）を備えているコンピュータプログラム製品であり、前記コンピュータ読取り可能媒体は、請求項３３に記載の、前記媒体上で具現される前記コンピュータプログラム（３１）を有していることを特徴とするコンピュータプログラム製品。
【発明の詳細な説明】
【技術分野】
【０００１】
本発明は、デジタルパスバンドデータを伝送するアクティブ分散アンテナシステム（ＤＡＳ）の実現に関する。
【背景技術】
【０００２】
分散アンテナシステム（ＤＡＳ）は、無線基地局から直接的にはサービスを受けることができない領域において無線サービスエリアを提供するための技術であり、単一のＤＡＳを多数の無線基地局が使用可能であるため、多くの無線サービスプロバイダがサービスエリアを提供する必要がある適用においては特に利点がある。
【０００３】
最先端技術のＤＡＳ１００は、図１において示されているように、無線信号に対してデジタル伝送を使用する。簡潔性のために、信号経路の１方向のみが示されており、単一の帯域に対してのみ示してある。実際は、ＤＡＳは双方向性であり、図１に示されているように、ダウンリンク信号を無線基地局（ＲＢＳ）１０１〜１０４から、リモートアンテナ１０５、１０６により提供されるサービスエリアに搬送して、スマートフォンやタブレットのような無線通信装置（図示せず）にサービスを提供する。アップリンク信号は、無線通信装置からＲＢＳに反対方向に搬送される。ＤＡＳは通常、ダウンリンクとアップリンクの両方で、多くの周波数帯域をサポートする。
【０００４】
一般的に、ＤＡＳ１００は１つ以上のソースユニット１０７、１０８から構成され、それぞれのソースユニットは、１つ以上の基地局１０１〜１０４、および１つ以上のリモートユニット１０９、１１０にインタフェースで接続して、それぞれのサービスエリアにおいてアンテナ１０５、１０６を駆動する。ソースユニット１０７、１０８とリモートユニット１０９、１１０との間には、１つ以上の分離ユニットとしての、または、ソースおよびリモートユニットに統合されて、またはそれらのある組み合わせとしてのあるタイプのルーティングユニット１１１があってよい。図１の例においては、単一のルーティングユニット１１１が示されている。
【０００５】
図１の例としてのＤＡＳにおいては、アナログ供給があり、周波数帯域に対する基地局入力信号は各ソースユニットに対して、それぞれのアナログ／デジタル変換器１１２、１１３（ＡＤＣ）において合成信号として提示されている。
【０００６】
ＡＤＣ１１２、１１３への信号の帯域幅は、注目帯域において基地局入力信号に対して許可される最小および最大周波数により定義される。例として、１，８００ＭＨｚデジタルセルラーシステム（ＤＣＳ）のセルラー帯域は、１８０５．２から１８７９．８ＭＨｚのダウンリンク周波数範囲を有している。これは典型的には、ＲＢＳ１０１〜１０４からの任意の個々の信号の帯域よりも非常に広く、ＡＤＣサンプルレートは、入力信号帯域全体をサンプリングするために十分なほど高くなくてはならない。例として、エイリアシング（折り返しエラー）を回避するためには、ＡＤＣ１１２、１１３のサンプルレートは、総帯域幅の２倍を超えなくてはならず、つまり、この特別な例においては、２×（１８７９．８−１８０５．２）＝１４９．２ＭＨｚを超えなくてはならない。
【０００７】
多数のチャネルフィルタ１１４〜１１７が、それぞれの基地局１０１〜１０４の個々のチャネルを、独立したサンプルのストリームに分離する。ＲＢＳの各チャネル上で転送される信号に対応するこれら個々のサンプルのストリームは、光ファイバ接続を使用するＣｏｍｍｏｎ  Ｐｕｂｌｉｃ  Ｒａｄｉｏ  Ｉｎｔｅｒｆａｃｅ  （ＣＰＲＩ）（共通公衆無線インタフェース））リンクのような、高速デジタルリンク１２２、１２３上の送信のために、スケジューラ１１８、１１９およびシリアライザ１２０、１２１によりスケジューリング且つシリアライズされる。結論可能なように、これは、ＡＤＣ１１２、１１３は、高いサンプルレートで入信データをサンプリングしなければならならず、スケジューラ／シリアライザに大量のデジタルデータが到着する結果になるので、スケジューラ１１８、１１９およびシリアライザ１２０、１２１にとっては問題である。
【０００８】
ルーティングユニット１１１においては、サンプルはデシリアライズされ１２４、１２５、サンプルは、要求される出力ポートにサンプルを転送するルーティング機能１２６に渡される。各出力ポートにおいては、そのポートを出力先とするサンプルのセットが、高速デジタルリンク１３１、１３２上の送信のために、スケジューラ１２７、１２８およびシリアライザ１２９、１３０により再びスケジューリング且つシリアライズされる。
【０００９】
最終的に、各リモートユニット１０９、１１０においては、サンプルはデシリアライズされて１３３、１３４、伝送されている各チャネルに対して、元の無線信号を再作成するように構成されている送信フィルタリング機能１３５〜１３８に渡される。周波数帯域に対するすべての送信フィルタリング機能１３５〜１３８の出力は合計されて、それぞれのデジタル／アナログ変換器１３９、１４０（ＤＡＣ）に渡されて、無線通信装置にサービスを提供するサービスエリアを提供するアンテナ１０５、１０６上で増幅および送信可能なアナログ信号が再作成される。
【００１０】
ソースユニット１０７、１０８はまた、各基地局１０１〜１０４への純粋なデジタルインタフェースを有するようにも設計可能であり、その場合は、送信される信号は、デジタルサンプルの形式で送信される。この場合、受信フィルタリング１１４〜１１７の役割は、基地局１０１〜１０４からのデジタルサンプルを、ＤＡＳ１００を通しての送信に適切な形式にフォーマットおよび変換することである。
【００１１】
「現実」世界における信号は、それぞれの基地局１０１〜１０４により送信される無線周波数（ＲＦ）信号のように、有限の範囲の周波数上に存在しており、サンプリングされると（例えば、アナログ／デジタル変換器１１２、１１３により）、デジタルサンプルのシーケンスで表現可能である。
【００１２】
米国特許第８，９２９，２８８号は、ホストユニットと複数のリモートユニットを含んでいるＤＡＳを開示している。ホストユニットは、複数の基地トランシーバ局とスイッチを含んでいる。各基地トランシーバ局は、ダウンストリームベースバンドデジタル信号をスイッチに提供し、スイッチからアップストリームベースバンドデジタル信号を受信するように構成されており、各ダウンストリームベースバンドデジタル信号とアップストリームベースバンドデジタル信号は、それぞれの基地トランシーバ局のベースバンドにおける元の無線周波数チャネルのデジタル表現である。スイッチは、各ダウンストリームベースバンドデジタル信号を、リモートユニットのそれぞれのサブセットに、１つ以上のダウンストリームシリアルデータストリームとしてルーティングし、１つ以上のアップストリームシリアルデータストリームからの各アップストリームベースバンドデジタル信号を、基地トランシーバ局のそれぞれのサブセットにルーティングするように構成されている。
【００１３】
更に、標準化されたＣｏｍｍｏｎ  Ｐｕｂｌｉｃ  Ｒａｄｉｏ  Ｉｎｔｅｒｆａｃｅ（ＣＰＲＩ（共通公衆無線インタフェース））インタフェース仕様「Ｃｏｍｍｏｎ  Ｐｕｂｌｉｃ  Ｒａｄｉｏ  Ｉｎｔｅｒｆａｃｅ（ＣＰＲＩ）、Ｉｎｔｅｒｆａｃｅ  Ｓｐｅｃｉｆｉｃａｔｉｏｎ」は、現在Ｖｅｒｓｉｏｎ６．０であり、ベースバンドユニットと無線ヘッドとの間の高速デジタルリンク上のベースバンドデータのシリアライゼーションを提唱している。ベースバンドサンプルが、デジタルリンク上でシリアライズされる、米国特許第８，９２９，２８８号に記述されているシステムのような、Ｄｉｇｉｔａｌ  ＤＡＳ（デジタルＤＡＳ）の実現がこのアプローチに追従した。
【００１４】
ＤＡＳにおいてベースバンドでデジタルデータを処理することは利点を有している。元の無線周波数信号のデジタルベースバンド表現が例示されている図２を参照すると、そのようなデジタルベースバンド表現では、各データサンプルは、複素数（実部および虚部成分から構成される）として表現されるということが分かる。ベースバンド信号の実部および虚部成分は、実際は、０Ｈｚから１０ｋＨｚ弱近くまでのような、より高い遮断周波数まで広がっていることに気付く。負の周波数は、対応する正の周波数成分の鏡像である。
【００１５】
よく知られているナイキスト（Ｎｙｑｕｉｓｔ）の定理は、信号の占められている帯域幅が、サンプルレートＦsの半分未満である限り、アナログ信号は、デジタルサンプルのストリームから完全に再構築可能であるということを教示している。
【００１６】
図２の左側のパワースペクトル密度（ＰＳＤ）のイラストから分かるように、合成された複素表現は、負の周波数成分が、正の周波数成分と異なることが可能な両側パワースペクトルを可能にし、サンプルレートＦsまでの総帯域幅を可能にする。
【００１７】
信号処理の観点からは、そのような表現は普通、他の理由の中でも、右側の時間ドメインのイラストに示されているように、それが、実部および虚部成分が平行に処理されることを可能にするという理由で使用される。デジタルベースバンド信号は普通、ＩＱデータと称され、つまり、同相および直交変調データの形式のユーザプレーン情報である。このＩＱ変調により、デジタルデータが、図２の右側の時間ドメインのイラストに示されている実部および虚部成分により表現されることを可能にする。
【００１８】
ＤＡＳは、異なるセルラーオペレータとモバイル送信規格に対応する広い範囲の信号に対処する必要がある。これは、異なる信号帯域幅の広い範囲が、例えば、総ＡＤＣ入力帯域幅内に提示され得ることを意味している。広帯域信号に対する最小サンプルレートは、狭帯域信号に対するサンプルレートよりも大きく、サポートされなければならない帯域幅の範囲は、デジタル相互接続の利用できる容量を効率よく利用するために、異なるサンプルレートの広い範囲をサポートする必要性に繋がる。これは、各シリアライザの前に位置するスケジューリングプロセスが難しい作業を有することを意味している。つまり、遅延の最小量を追加しながら、各チャネルに対してデータサンプルを送信するためのスケジュールを見つける必要がある。サンプルの異なる混合体を搬送する必要がある、ＤＡＳを通しての各ステップ（例えば、各中間ルーティングステップ）においては、導入される余分なスケジューリング遅延を補償するために、更なるバッファリングを提供する必要がある。基地局を、ＤＡＳを通しての遅延を補償するためにどの程度調整可能かについては限度があるので、総遅延はＤＡＳの性能に対して非常に重要であり得る。
【００１９】
図１におけるＤＡＳ１００のスケジューラ１１８、１１９の柔軟性は、送信されるデータの粒度により制限される。ベースバンドデータサンプルは、図２において例示されたように２つのサンプル値から構成され、つまり、実部および虚部成分から構成されており、デジタルリンク１２２、１２３上で送信されるためには、両者はシリアライズされなければならない１２０、１２１。これは、スケジューラ１１８、１１９に対する最小粒度は、両成分を処理するために掛る時間から構成されることを意味している。
【００２０】
上記に検討したデジタルベースバンド表現の欠点は、各時間ドメインデジタルデータ成分の処理に関連する遅延があるということである。
【発明の概要】
【００２１】
本発明の目的は、この技術における問題を解決、または少なくとも軽減し、向上したＤＡＳおよびＤＡＳにおいてデジタルデータを伝送する方法を提供することである。
【００２２】
この目的は、ＤＡＳにおいてデジタルデータを伝送する方法により、本発明の第１態様において達成される。本方法は、少なくとも１つのデータソースからデータを受信することと、受信されたデータを処理することと、処理されたデータを、ＤＡＳ内での更なる伝送のためのデジタル実数値パスバンドデータとして提供することを備えている。
【００２３】
この目的は、ＤＡＳにおいてデジタルデータを伝送するように構成されている装置により、本発明の第２態様において達成され、装置は、処理ユニットとメモリを備え、メモリは、処理ユニットにより実行可能な命令を含んでおり、それにより装置は、少なくとも１つのデータソースからデータ受信し、受信されたデータを処理し、処理されたデータを、ＤＡＳ内での更なる伝送のためのデジタル実数値パスバンドデータとして提供するように機能する。
【００２４】
前に検討されたように、複素デジタル信号の実部および虚部成分がＤＡＳにおいてスケジューリング且つシリアライズされるときは、処理遅延が、それぞれの信号成分の処理において起こる。
【００２５】
そのため、実部および虚部信号成分の１つを処理するための遅延をＤで表わすと、各サンプルの両成分を処理するための遅延は２×Ｄとなる。ＤＡＳの高速リンク上の送信のためには、両成分を処理しなければならないということは回避不可である。
【００２６】
この問題は、本発明に係る、パスバンド表現を使用して、ＤＡＳにおいてデジタルデータを伝送する方法により都合よく克服される。ベースバンド表現とは対照的に、パスバンド表現は、独立した実部および虚部成分から構成されるのではなく、純粋な実数値信号のように、単一成分により表現可能である。
【００２７】
ここにおいて記述される、実数値デジタルパスバンド信号を伝送する、本発明の実施形態で提案されるＤＡＳにおいては、高速データリンク上の各データサンプルの伝送を準備するためのスケジューラとシリアライザの処理遅延は５０％削減され、そのため、実部および虚部成分から構成される各デジタルベースバンドデータサンプルに対する場合の２×Ｄの遅延と比較して、各デジタルパスバンドデータサンプルに対する処理遅延はＤとなる。
【００２８】
実施形態においては、受信された信号を処理することは、ＲＸフィルタと称されるフィルタにおいて、基地局により提供される（または、アップリック通信の場合は、無線通信端末により提供される）各チャネルをフィルタリングすることを含んでいる。そのため、基地局の各チャネルは、対応する周波数選択性ＲＸフィルタにより処理される。この状況においては、チャネルは、オペレータがＤＡＳを通して共に転送したいと所望する、周波数の範囲を占有している信号のセットとして解釈されるべきである。
【００２９】
その後、フィルタリングされた各チャネルの信号は、信号の、それぞれのチャネル上で伝送される信号の帯域幅に適合されたサンプルレートＦsを削減するために、それぞれのＲＸフィルタにおいて、リサンプリングまたは間引きが行われる。結論可能なように、ＲＸフィルタにおいて適用されるサンプルレートＦsは、フィルタリングされたチャネルの最大帯域幅信号の帯域幅の少なくとも２倍でなければならない。
【００３０】
これは、ＤＡＳ内での更なる伝送のための、各ＲＸフィルタにより提供される実数値デジタルパスバンドデータの結果としてのサンプルレートＦsは、ＡＤＣ１１２、１１３に入信する信号の総帯域幅ではなく、フィルタリングされたチャネルの実際の帯域幅に適合されるので、非常に有利である。
【００３１】
フィルタリングされた基地局信号は、より狭い帯域幅を有しており、基地局の入信複合信号をサンプリングするＡＤＣよりも、より低いサンプルレートで表現可能である。デジタルリンク上の効率よい転送のために、実施形態におけるチャネルフィルタリングはまたこのため、各基地局チャネルのサンプルレートを削減するために、間引きまたはリサンプリングの１つ以上の段階を含んでいる。
【００３２】
結果として、それぞれのフィルタリングされた基地局チャネルの信号を、フィルタリングされたチャネルの帯域幅を考慮した必要なだけの高さのサンプルレートを使用して、より低いサンプルレートＦsでリサンプリング／間引きを行うことにより、アンテナ上の送信のための、リモートユニットにおける元の信号の後続する再構築を依然として可能にしながら、スケジューラに提供されるデジタルパスバンドデータの量は大幅に削減される。これは、スケジューラ／シリアライザの処理負担を大幅に軽減する。
【００３３】
本発明の更なる実施形態が、詳細な記述において検討される。
【００３４】
一般的に、請求項において使用されるすべて用語は、ここにおいて他に明示的に定義されない限り、技術分野における通常の意味に従って解釈されるべきである。「ある／該要素、装置、構成要素、手段、ステップなど」に対する言及は、他に明示的に記述されない限り、該要素、装置、構成要素、手段、ステップなどの少なくとも１つの例に言及していると率直に解釈されるものとする。ここにおいて開示されている任意の方法のステップは、明示的に記述されない限り、開示されている正確な順序で実行する必要はない。
【図面の簡単な説明】
【００３５】
ここで、付随する図面を参照して、例により本発明を記述する。
【図１】本発明を実現できる、先行技術のＤＡＳシステムを例示している。
【図２】周波数ドメインおよび時間ドメインにおけるデジタルベースバンドデータを例示している。
【図３ａ】本発明の基本的着想に係る方法を記述しているフローチャートを例示している。
【図３ｂ】本発明の実施形態に係る方法を記述しているフローチャートを例示している。
【図４】周波数ドメインおよび時間ドメインにおける実数値デジタルパスバンドデータを例示している。
【図５】本発明に係る方法の更なる実施形態を記述しているフローチャートを例示している。
【図６ａ】実施形態に係るＤＡＳ内での更なる伝送のための、デジタルベースバンドデータから実数値デジタルパスバンドデータへの変換を例示している。
【図６ｂ】実施形態に係るＤＡＳ内での更なる伝送のための、デジタルベースバンドデータから実数値デジタルパスバンドデータへの変換を例示している。
【図６ｃ】実施形態に係るＤＡＳ内での更なる伝送のための、デジタルベースバンドデータから実数値デジタルパスバンドデータへの変換を例示している。
【図６ｄ】実施形態に係るＤＡＳ内での更なる伝送のための、デジタルベースバンドデータから実数値デジタルパスバンドデータへの変換を例示している。
【図７】本発明に係る方法の更なる実施形態を記述しているフローチャートを例示している。
【図８】本発明に係る方法の更なる実施形態を記述しているフローチャートを例示している。
【図９】本発明に係る方法の更なる別の実施形態を記述しているフローチャートを例示している。
【図１０】ここで開示される方法を実行する、本発明の実施形態に係る装置を例示している。
【発明を実施するための形態】
【００３６】
ここで、本発明のある実施形態が示されている付随する図面を参照して、本発明をより完全に以下に記述する。しかし本発明は、多くの異なる形式で具現化でき、ここにおいて記述される実施形態に制限されると解釈されるべきではなく、これらの実施形態は、この開示が完璧かつ完全であり、本発明の範囲を技量を有する当業者に完全に伝えるように例により提供される。記述を通して、類似の番号は類似の要素を指している。
【００３７】
図１は、本発明を実現できる先行技術のＤＡＳを例示している。図１のＤＡＳ１００は、前に詳細に検討した。
【００３８】
図２は、デジタルベースバンドデータの周波数ドメインおよび時間ドメイン表現を例示している。Ｘr（ｎ）は、離散時間サンプルインデックスｎでの時間ドメインにおけるデジタル信号の実部成分を示し、一方、Ｘi（ｎ）は、離散時間サンプルインデックスｎでの時間ドメインにおけるデジタル信号の虚部成分を示している。
【００３９】
前に検討したように、デジタル信号のそれぞれの成分が、ソースユニット１０７、１０８のスケジューラ１１８、１１９およびシリアライザ１２０、１２１により、そして続いて、ルーティングユニット１１１のスケジューラ１２７、１２８およびシリアライザ１２９、１３０によりスケジューリング且つシリアライズされると、処理遅延が、それぞれの信号成分の処理において起こる。
【００４０】
そのため、２つのデジタル信号成分の１つを処理するための遅延をＤで表わすと、各デジタルサンプルの両成分を処理するための遅延は２×Ｄとなる。高速リンク１２２、１２３および１３１、１３２上の送信のためには、両成分を処理しなくてはならないということは回避不可である。
【００４１】
この問題は、パスバンド表現を使用して、ＤＡＳにおいてデジタルデータを伝送する方法により都合よく克服される。ベースバンド表現とは対照的に、パスバンド表現は、独立した実部および虚部成分から構成されるのではなく、純粋な実数値信号のように、単一成分により表現可能である。
【００４２】
パスバンド信号は、正のみである（または、等価的に、負のみである）周波数の帯域を占める。負および正の周波数成分は互いに独立している必要はなく、従って、表現されるためには、信号は実部と虚部の両成分を必要としない。実数値デジタルパスバンド信号は、各サンプルが単一座標により表現される信号として定義される。これは、信号のサンプルに対して可能な値は、複素平面において直線にマップされることを意味している。この直線は典型的には、複素平面における実軸であるが、同様に虚軸であることも可能で、または、他の位置における直線であることも可能である。
【００４３】
本発明の方法は、図３ａのフローチャートを参照すると、ステップＳ１０１において、少なくとも１つのデータソースからデータを受信することを備え、ここにおいて、データソースは無線基地局（ＲＢＳ）１０１〜１０４により具現化できるが、代替的に、ＲＦ信号を基地局から受信し、ＲＦ信号を、中間周波数（ＩＦ）のようなより低い周波数にミックスダウンする、および／または、アナログＲＢＳ信号をデジタル信号に変換する中間装置であることも可能である。
【００４４】
下記においては、ＲＦ信号の、より低い周波数ＩＦ信号へのＲＦ信号の如何なるミックスダウンも、ミキサ／復調器１４１、１４２により例示されているような、それぞれのＲＢＳ１０１〜１０４とＤＡＳ１００との間、またはＤＡＳ１００内に位置しているＲＦミキサ／復調器により実行されるものとする。
【００４５】
ＲＦ信号は典型的には、パスバンドアナログ信号であり、それはＤＡＳに（任意のミキサ装置を介して）供給されるときは、通常は、ＤＡＳは単一のＲＢＳからの信号を受信できるが、１つ以上のＲＢＳ１０１〜１０４からの信号の複合物である。しかし、実際は、ＤＡＳは典型的には、異なる周波数においてそれぞれ動作している種々のオペレータにより操作できる、多数の異なるＲＢＳから信号を受信する。これらの異なるチャネルは、それぞれのチャネルＲＸフィルタ１１４〜１１７により分離されなければならず、それに続いて、リモートユニット１０９、１１０において、それぞれのチャネルＴＸフィルタ１３５〜１３８により再構築されなければならない。
【００４６】
その後、受信されたデータはステップＳ１０２において、何れのタイプのデータを含んでいるか、つまり、アナログ、デジタル、ＲＦ、ＩＦ、ベースバンドなど何れのタイプのデータを含んでいるかに従って処理され、処理されたデータはステップＳ１０３において、ＤＡＳ１００内での更なる伝送のための実数値デジタルパスバンドデータとしてそれぞれのスケジューラ１１８、１１９に提供される。
【００４７】
ダウンリンクにおいては、ステップＳ１０１〜Ｓ１０３に例示されている処理は、実施形態においては、更なるダウンリンク伝送のために、ＲＢＳ１０１〜１０４の近くのソースユニット１０７、１０８において実行され、一方、アップリンクにおいては、ステップＳ１０１〜Ｓ１０３の処理は、更なるアップリンク伝送のために、リモートユニット１０９、１１０において実行される。そのため、データが、アップリンクまたはダウンリンク方向の何れかにおいてＤＡＳ１００に入ると、データは、ＤＡＳ１００内での更なる伝送のための実数値デジタルパスバンドデータとして提供可能なように処理される。
【００４８】
図３ｂを参照すると、実施形態においては、図３ａの処理ステップＳ１０２は、各ＲＸフィルタ１１４〜１１７において、ＲＢＳ１０１〜１０４により提供される各チャネルをフィルタリングする更なるステップＳ１０２ｂ’を含んでいる。そのため、ＲＢＳ１０１〜１０４のそれぞれのチャネルは、対応するＲＸフィルタ１１４〜１１７により処理される。
【００４９】
その後、ステップＳ１０２ｂ”において、フィルタリングされた各チャネルの信号に対して、それぞれのチャネル上で伝送される信号の帯域幅に適合された、信号のサンプルレートＦsを削減するために、それぞれのＲＸフィルタ１１４〜１１７においてリサンプリングまたは間引きが行われる。結論可能なように、ＲＸフィルタ１１４〜１１７において適用されるサンプルレートＦsは、フィルタリングされたチャネルの最大帯域幅信号の帯域幅の少なくとも２倍でなければならない。
【００５０】
これは、ＤＡＳ１００内での更なる伝送のための、各ＲＸフィルタ１１４〜１１７により提供される実数値デジタルパスバンドデータの結果としてのサンプルレートＦsが、ＡＤＣ１１２、１１３に入信する信号の総帯域幅ではなく、フィルタリングされたチャネルの実際の帯域幅に適合されているので非常に有利である。
【００５１】
フィルタリングされたＲＢＳ信号は、より狭い帯域幅を有しており、ＡＤＣ１１２、１１３のサンプルレートより低いサンプルレートで表現可能である。デジタルリンク上の効率よい転送のため、実施形態におけるチャネルフィルタリングはまたこのため、各ＲＢＳチャネルのサンプルレートを削減するための、間引きまたはリサンプリングの１つ以上の段階を含んでいる。
【００５２】
結果として、それぞれのフィルタリングされたＲＢＳチャネルの信号に対して、フィルタリングされたチャネルの帯域幅を考慮した必要なだけの高さのサンプルレートを使用して、より低いサンプルレートＦsでリサンプリング／間引きを行うことにより、アンテナ１０５、１０６上の送信のための、リモートユニット１０９、１１０における元の信号の後続する再構築を依然として可能にしながら、スケジューラ１１８、１１９に提供されるデジタルパスバンドデータの量は大幅に削減される。これは、スケジューラ／シリアライザの処理負担を大幅に軽減する。
【００５３】
前述したように、各リモートユニット１０９、１１０においては、サンプルはデシリアライズされて１３３、１３４、送信フィルタリング機能１３５〜１３８に渡される。送信フィルタリング機能１３５〜１３８は、伝送される各チャネルに対して元の無線信号を生成するように構成されており、ＡＤＣ入力周波数帯域に対応する出力周波数帯域全体を再作成可能なように、各信号のサンプルレートＦsを、十分に高いサンプルレートに補間することを含んでいる。周波数帯域に対するすべての送信フィルタリング機能１３５〜１３８の出力は合計されて、それぞれのデジタル／アナログ変換器１３９、１４０（ＤＡＣ）に渡されて、無線通信装置にサービスを提供するサービスエリアを提供するアンテナ１０５、１０６上で増幅および送信可能なアナログ信号が再作成される。
【００５４】
図４は、周波数ドメインと時間ドメインそれぞれにおける実数値デジタルパスバンド信号を例示している。デジタルパスバンド信号は、左側のイラストに示されているように、周波数ドメインにおいて正の周波数の特定の帯域を占めている。負の周波数におけるパワースペクトルは、正の周波数におけるものと同一の鏡像版である。
【００５５】
右側の時間ドメインのイラストに示されているように、デジタル信号は、右側のイラストに示されているように、実数値サンプルのシーケンスにより表現可能である。Ｙr（２ｎ）は、離散時間サンプルインデックス２ｎでの時間ドメインにおけるデジタル信号の実部成分を表わしている。
【００５６】
再びナイキストの定理によると、サンプリングレートＦsが、サンプリングされたアナログ信号の帯域幅の少なくとも２倍である限り、アナログ信号は、デジタルサンプルのストリームから完全に再構築可能である。サンプルインデックスに対するファクタ２は、パスバンド表現に対するサンプルレートは、同じ情報帯域幅のベースバンド表現の２倍でなければならないことを示している。
【００５７】
図４の実数値デジタルパスバンド信号を、図２に例示されているデジタルベースバンド信号と比較すると、デジタルベースバンド信号表現は、データサンプルの実部および虚部成分の平行処理を、同じ帯域幅を有するパスバンド信号のサンプリングレートＦsの半分で可能にすると結論可能である。
【００５８】
しかし、ここで記述される、実数値デジタルパスバンド信号を伝送する、本発明の実施形態で提案されるＤＡＳにおいては、高速データリンク１２２、１２３上の各データサンプルの伝送を準備するための、スケジューラ１１８、１１９およびシリアライザ１２０、１２１の処理遅延は５０％削減され、そのため、実部および虚部成分から構成される各デジタルベースバンドデータサンプルに対する場合の２×Ｄの遅延と比較して、各デジタルパスバンドデータサンプルの処理遅延はＤとなる。
【００５９】
本発明に係る、ＤＡＳにおいてデジタルデータを伝送する方法の実施形態を、図５のフローチャートと、図６ａから６ｄに例示されている信号を参照してここに記述する。
【００６０】
実施形態によれば、実数値デジタルパスバンドデータは、シリアライザ１２０、１２１により伝送される。この特別な実施形態においては、図５のフローチャートを参照すると、ＤＡＳ１００のソースユニット１０７、１０８への入力は、ステップＳ１０２ａにおいて、直交ミキサ／復調器１４１、１４２により、ゼロ中間周波数のアナログベースバンド信号にミックスダウンされるＲＦ信号である。この直交ミキサ／復調器は、ソースユニット１０７、１０８内またはその外側に位置できる。そのため、ＤＡＳ１００は、外部の直交ミキサ／復調器により既にミックスダウン且つ直交復調されたＩＦ信号を受信すると考えることができ、このシナリオにおいては、ＤＡＳ１００はステップＳ１０２ａを実行しない。
【００６１】
直交ミキサ／復調器においては、同じ入力信号を、互いに９０度オフセットしている局所発振器信号の異なるバージョンによりミックスする２つのミキサが利用され、複素表現として取り扱い可能な出力信号が生成される。
【００６２】
このため、ＡＤＣ１１２、１１３はステップＳ１０２ｂにおいて、アナログＩＦ信号を複素ベースバンド信号としてサンプリングする。
【００６３】
ＩＦ信号が一旦デジタル化されると、処理は、ステップＳ１０２ｂ’において図３ｂを参照して上記に検討したように、周波数選択性フィルタリングにより、複合入力信号を構成する異なる信号を分離することから構成される。そのため、各チャネルは、帯域幅がそれぞれの信号ソースの特性に適合されている、つまり、各フィルタは、対応するＲＢＳの動作周波数に同調されている周波数選択性デジタルフィルタ１１４〜１１７を有している。
【００６４】
前述したように、信号帯域幅のこの適合は、フィルタリングされたチャネルの信号に対してリサンンプリングまたは間引きを行うことで実行され（図３ｂのステップＳ１０２ｂ”）、都合よく、より低いサンプルレートＦsという結果になる。このサンプルレートＦsは、すべてのＲＢＳチャネル上で、ＤＡＳ１００に入信する信号の総帯域幅を収容する必要がある、ＡＤＣ１１２、１１３により適用されるものよりも相当に低いということに留意すべきである。
【００６５】
ここで、このフィルタリングの後、図６ａに例示されている（図２を参照して前に検討した）ように、デジタルベースバンド信号は、各チャネルに対して得られており、サンプルレートＦsのデジタルベースバンド信号という結果になる（Ｆsは、エイリアシングのないフィルタリングされた信号を表現するために必要なサンプルレートによって、各チャネルに対して異なってよい）。
【００６６】
このデジタルベースバンド信号は、この特別な実施形態においては、ステップＳ１０２ｃにおけるアップサンプリングを実行するステップから開始する、３ステップのアプローチを使用して、実数値デジタルパスバンド信号に変換される。このステップは、デジタルベースバンド信号が既に、信号に含まれる情報の帯域幅の少なくとも２倍のサンプルレートを有している場合は省略可能である。
【００６７】
この例においては、アップサンプリングはファクタ２で実行され、つまり、デジタルベースバンド信号はファクタ２で内挿され、それにより、サンプルレート２倍にして、ナイキスト帯域幅を２×Ｆsに増大する。
【００６８】
実際は、アップサンプリングを実行するときは、ゼロが元のサンプルの間に挿入されてサンプリングレートを増大し、これに、結果としてのアップサンプリングされたデジタル信号を平滑化するローパスフィルタリングが続き、それにより、挿入されたゼロ全体に渡って所望の信号が再構築される。
【００６９】
図６ｂは、図６ａのデジタルベースバンド信号のアップサンプリングの結果であるデジタルベースバンド信号を示している。アップサンプリングは、所望しないスペクトル画像（破線で示されている）をサンプリングされた信号に追加し、そのスペクトル画像は、元のサンプリングレートの倍数上を中心とし、前述したローパスフィルタリングにより除去しなくてはならないということに留意すべきである。このため、アップサンプリングにより、信号を−Ｆsから＋Ｆsの周波数範囲で表現することが可能となる。しかし、所望の信号は依然として−Ｆs／２から＋Ｆs／２の元の周波数範囲にある。
【００７０】
ステップＳ１０２ｃのアップサンプリングの後、図６ｂの右側における時間ドメイン表現に例示されているように、図６ａの元のデジタルベースバンド信号と比較して、同じ量のデータが、アップサンプリングされたデジタルベースバンド信号に存在するが、サンプリングレートは２×Ｆsに増大している。
【００７１】
その後、アップサンプリングされたデジタルベースバンド信号の周波数シフトがステップＳ１０２ｄにおいて（アップサンプリングされた周波数のうち、ＡＤＣ１１２、１１３により適用される元のサンプルレートに対してＦs／２に対応する）周波数Ｆs／４で実行され、それにより、複素デジタルパスバンド信号を作成するために、信号のより低い端部を正の周波数に移動する。この操作の結果は、図６ｃに例示されている。結果がパスバンド信号である（つまり、所望の信号すべてが正の周波数、またはすべてが負の周波数に位置している）限り、異なる周波数シフトを選択できる。
【００７２】
最終的に、図６ｃに例示されている複素デジタルパスバンド信号の虚部成分はステップＳ１０２ｅにおいて破棄され、図６ｄを参照して例示される信号という結果に、つまり、図４を参照して前に詳細に検討した実数値デジタルパスバンド信号が、ステップＳ１０３に例示されているように提供される。ゼロ周波数を中心とする、図６ａのデジタルベースバンド信号と比較すると、図６ｄのデジタル信号はＦs／２を中心としており、何れの側においても正の周波数のパスバンドから構成されている。虚部成分がないので、負の周波数範囲は、正の周波数範囲の鏡像となっており、それは、周波数範囲０から＋Ｆsにおいて、固有情報のみが搬送可能であることを意味している。しかし、所望の信号はその範囲にあることは既に確認されている。または、実部成分を破棄可能である。これは同じ効果を有する。信号帯域幅全体がスペクトルの正（または負）の半分に依然として位置しているように、十分なマージンがサンプルレートにある限り、Ｆs／２以外の中心周波数を使用できる。
【００７３】
結果は、同じ平均データレートの信号であり、つまり、半分のデータ量であり、２倍の頻度であるが、各データサンプルは実数値であり、独立してスケジューリング且つルーティングが可能であるので、スケジューリング粒度は都合よく、ベースバンド表現の半分である。
【００７４】
そのため、１つの実部成分と１つの虚部成分を、対応する遅延を伴って各データサンプルに対して連続して処理しなくてはならないデジタルベースバンド表現と比較すると、データサンプルをスケジューリング且つシリアライズするときの、実数値デジタルパスバンド信号の各データサンプルに対する処理遅延は５０％削減される。
【００７５】
リモートユニット１０９、１１０において、アンテナ１０５、１０６を介してＲＢＳ１０１〜１０４から受信した元のＲＦ信号を任意の無線通信装置に送信する前に、上記の３ステップのアプローチの逆のアプローチが、各チャネルＴＸフィルタ１３５〜１３８において行われる。ベースバンド信号は、図６ｄのパスバンド信号から、
（１）  周波数をベースバンドにシフトして戻し、
（２）  結果の複素信号をフィルタリングして、不要の画像を、シフトされた負の周波数成分から除去し、
（３）  サンプルレートＦsをファクタ２だけダウンサンプリング（つまり、削減）することにより再作成可能である。
【００７６】
最終的に、各チャネルのデジタル信号を、図６ａに示されているベースバンド表現に変換して戻した後、チャネルＴＸフィルタは、各チャネルの信号を、各リモートユニット１０９、１１０における直交ミキサ／復調器１４３、１４４を通過し、その後、ＲＢＳ１０１〜１０４により提供されるようなＲＦ信号が再生成され（または、ＤＡＳ１００へのデジタルベースバンド供給の場合は初めて作成され）、アンテナ１０５、１０６を介して送信される前に、他のチャネルと合計可能であり、ＤＡＣ１３９、１４０によりデジタル形式からアナログ形式に変換可能なように再構築する。
【００７７】
実際の実現においては、ベースバンドデータ表現の使用が、内部処理に対して所望されるならば、変換ステップの幾つかまたはすべてを既存の信号処理回路に統合可能である（受信経路は典型的に、周波数シフトと間引きの段階を含み、送信経路においては反対のステップであるため）。または、実現は、全体を通してパスバンド表現を使用することを選択可能である。
【００７８】
パスバンド表現への、そしてベースバンド表現に戻す一連の変換は、受信側において同一のベースバンド信号を提供しない（関連するフィルタリングステップは非理想的であり、プロセスは時間不変ではないため）。しかし、ナイキスト基準は守られるので、信号の重要な特質は保たれ、出力において、任意の高忠実度のＲＦ信号を再作成可能である。
【００７９】
図７のフローチャートを参照して記述される代替の実施形態においては、ＤＡＳ１００のソースユニット１０７、１０８への入力は、ゼロではなく、任意の他の適切な中間周波数であるＩＦにミックスダウンされたＲＦ信号であるか、または、ステップＳ１０２ａにおいて、直交ミキサ／復調器１４１、１４２によりＤＡＳ１００内でミックスダウン且つ直交変調されるＲＦ信号である。
【００８０】
このため、ステップＳ１０２ｂにおいて、ＡＤＣ１１２、１１３はアナログＩＦ信号を、複素パスバンド信号としてサンプリングする。
【００８１】
再び、ＩＦ信号が一旦デジタル化されると、処理は、ＲＸフィルタ１１４〜１１７において周波数選択性フィルタリングによる、複合入力信号を構成する異なる信号を分離することから構成される（図３ｂのステップＳ１０２ｂ’）。そのため、各チャネルは、帯域幅が、それぞれの信号ソースの特性に適合されている、つまり、各フィルタは、対応するＲＢＳの動作周波数に同調されている、周波数選択性デジタルフィルタ１１４〜１１７を有している。
【００８２】
更に、フィルタリングされたチャネルの信号に対しては、図３ｂのステップＳ１０２ｂ”において前に検討されたように、削減されたサンプルレートＦs、つまり、フィルタリングされたチャネルの信号の実際の帯域幅を考慮したサンプルレートＦsでリサンプリング／間引きが行われる。
【００８３】
ここで、このフィルタリングの後、図６ｃに例示されているような、実部および虚部の両方の成分を備えている複素デジタル信号が、各チャネルに対して得られている。フィルタリングは、各チャネルが、独立したＩ／Ｑ信号として処理可能なように、各チャネルをベースバンドにシフトできる。または、フィルタリングは、各チャネルをベースバンドにシフトすることなく、パスバンドにおいて実行できる。
【００８４】
この複素デジタルパスバンド信号は、この特別な実施形態においては、ステップＳ１０２ｄ’において、サンプルレートＦsの半分の周波数が中心となるように信号を周波数シフトして、ステップＳ１０２ｅにおいて、前に検討したように、図６ｃに例示されている信号の虚部成分を破棄することにより、実数値デジタルパスバンド信号に変換され、ステップＳ１０３で例示されているように、ＤＡＳ１００内での更なる伝送のために提供される、図６ｄを参照して例示されている実数値デジタルパスバンド信号という結果になる。
【００８５】
再び、デジタルベースバンド表現と比較すると、結果は、同じ平均データレートの信号であり、つまり、半分のデータ量であり、２倍の頻度であるが、各データサンプルは実数値であり、独立してスケジューリング且つルーティングが可能であるので、スケジューリング粒度は都合よく、ベースバンド表現の半分である。
【００８６】
そのため、１つの実部成分と１つの虚部成分を、対応する遅延を伴って各データサンプルに対して連続して処理しなくてはならないデジタルベースバンド表現と比較すると、データサンプルをスケジューリング且つシリアライズするときの、実数値デジタルパスバンド信号の各データサンプルに対する処理遅延は５０％削減される。
【００８７】
図８のフローチャートを参照して記述される更に他の実施形態においては、ＤＡＳ１００のソースユニット１０７、１０８への入力は、非直交ミキサ／復調器により、ゼロではなく適切なパスバンド周波数であるＩＦにミックスダウンされたＲＦ信号である。再び、ミキシングと非直交復調を、ソースユニット１０７、１０８の外側に位置している、非直交ミキサ／復調器１４１、１４２により代替として実行できる。
【００８８】
このため、ＡＤＣ１１２、１１３はアナログＩＦ信号を、実数値パスバンド信号としてサンプリングする。
【００８９】
再び、ＩＦ信号が一旦デジタル化されると、処理は、図３ｂのステップＳ１０２ｂ’で示されるように、ＲＸフィルタ１１４〜１１７により適用される周波数選択性フィルタリングにより、複合入力信号を構成する異なる信号を分離することから構成される。そのため、各チャネルは、帯域幅が、それぞれの信号ソースの特性に適合されている、つまり、各フィルタは、対応するＲＢＳの動作周波数に同調されている、周波数選択性デジタルフィルタ１１４〜１１７を有している。
【００９０】
その後、フィルタリングされたチャネルの信号は、図３ｂのステップＳ１０２ｂ”を参照して検討したように、フィルタリングされたチャネルの信号の帯域幅に適合するために、より低いサンプルレートＦsでリサンプリングまたは間引きが行われる。
【００９１】
ここで、このフィルタリングの後、ＩＦ信号は、実部パスバンド信号としてサンプリングされるので、図６ｄに例示されているような実数値デジタルパスバンド信号が、各チャネルに対して得られている。
【００９２】
図９のフローチャートを参照して記述される代替の実施形態においては、再び、ステップＳ１０１においてＲＦ信号が受信されて、ステップＳ１０２ａ’においてＩＦにミックスダウンされ、非直交復調される。ステップＳ１０２ｂにおいてＩＦ信号が一旦デジタル化されると、処理は、複合入力信号を構成する異なる信号を分離することから構成される。
【００９３】
ＡＤＣ１１２、１１３の後で得られたデジタル実数値パスバンド信号は、ステップＳ１０２ｂ１においてデジタル直交復調器により各チャネルに対して処理され（ＲＸフィルタ１１４〜１１７の一部として実現される）、受信されたサンプルに、チャネル中心周波数と等しい周波数を有し、実部および虚部成分が９０度の位相差の複素フェーザーを掛けることにより、アナログ直交復調器における処理と同じ方法で、各チャネルに対する実数値パスバンド信号をゼロＩＦにシフトする。そして、周波数選択性ＲＸフィルタ１１４〜１１７は、所望のチャネルは０Ｈｚが中心であるので、図３ｂのステップＳ１０２ｂ’を参照して詳細に記述したように、実部および虚部成分を、所望のチャネルの帯域幅に適合されたローパスフィルタによりフィルタリング可能である。その後、フィルタリングされたチャネルのデータは、フィルタリングされたチャネルのデータの帯域幅に適合された、より低いサンプルレートＦsで、ステップＳ１０２ｂ”においてリサンプリングされ、スケジューラおよびシリアライザ上に渡されるデータ量を削減する。そして、光リンク上の送信のためにスケジューラとシリアライザに渡される前に、各チャネルに対する結果としてのベースバンド信号は、デジタルベースバンド信号に対する、前に記述した方法を使用して、ステップＳ１０３ａにおいてパスバンド信号に変換される。
【００９４】
更に別の実施形態においては、ＤＡＳ１００のソースユニット１０７、１０８への入力は、ミックスダウンされず、非直交復調器（図示せず）を通して渡されるだけのＲＦ信号である。この復調器は、ソースユニット１０７、１０８の内側または外側に位置できる。
【００９５】
このため、ＡＤＣ１１２、１１３はアナログＲＦ信号を、実数値パスバンド信号としてサンプリングする。
【００９６】
再び、ＩＦ信号が一旦デジタル化されると、処理は、周波数選択性フィルタリングにより、複合入力信号を構成する異なる信号を分離することから構成される。そのため、各チャネルは、帯域幅が、それぞれの信号ソースの特性に適合されている、つまり、各フィルタは、対応するＲＢＳの動作周波数に同調されている、周波数選択性デジタルフィルタ１１４〜１１７を有している。
【００９７】
ここで、このフィルタリングの後、ＲＦ信号は実部パスバンド信号としてサンプリングされるので、図６ｄに例示されているような実数値デジタルパスバンド信号が各チャネルに対して得られている。
【００９８】
更なる実施形態においては、ＤＡＳ１００のソースユニット１０７、１０８への入力は既にデジタル化されている信号であり、つまり、デジタルベースバンド信号である。
【００９９】
そのようなシナリオにおいては、チャネルフィルタリングは依然として必要であるが、入力信号を復調またはデジタル化する必要はない。このため、ここにおいて上記に図６ａ〜６ｄを参照して既に記述した３ステップのアプローチが、受信されたデジタルベースバンド信号に対して実行される。更に、検討されたように、これは、デジタルリンクの効率的な利用のために、各基地局信号のサンプルレートを削減するために、入力信号のリサンプリングを含むことができる。
【０１００】
前に検討したように、図１に例示されているＤＡＳ１００はダウンリンクパス、つまり、基地局から、スマートフォン、タブレット、スマートウォッチ、ゲーミングコンソールなどの無線通信装置（図示せず）への送信パスを示している。アップリンク、つまり、受信パスにおいては、リモートユニットとソースユニットの機能は反対になる。
【０１０１】
図１のＤＡＳ１００は、ＡＤＣ１１２、１１３、ＲＸフィルタ１１４〜１１７、スケジューラ１１８、１１９、シリアライザ１２０、１２１などの異なる機能実体に分割されるが、現代のＤＡＳは典型的には、ここにおいて記述された機能を達成するためにコンピュータプログラムを実行する処理ユニットのシステムにより実現される。
【０１０２】
図１０を参照すると、ＤＡＳ１００により、特にはソースユニット１０７、１０８により実行される方法のステップは、実際は、ランダムアクセスメモリ（ＲＡＭ）、フラッシュメモリ、またはハードディスクドライブなどのような、マイクロプロセッサと関連付けられている適切な格納媒体３２にダウンロードされたコンピュータプログラム３１を実行するように配置されている１つ以上のマイクロプロセッサの形式で具現化される処理ユニット３０（または複数の処理ユニットのシステム）により実行される。処理ユニット３０は、コンピュータ実行可能命令を備えている適切なコンピュータプログラム３１が格納媒体３２にダウンロードされ、処理ユニット３０により実行されるときに、ＤＡＳ１００に、実施形態に係る方法を実行させるように配置されている。格納媒体３２はまた、コンピュータプログラム３１を備えているコンピュータプログラム製品であってよい。または、コンピュータプログラム３１は、適切なコンピュータプログラム製品により、デジタル多目的ディスク（ＤＶＤ）またはメモリスティックのような格納媒体３２に転送されてよい。更なる代替として、コンピュータプログラム３１は、ネットワークを介して格納媒体３２にダウンロードされてよい。処理ユニット３０は代替的に、デジタル信号プロセッサ（ＤＳＰ）、特殊用途用集積回路（ＡＳＩＣ）、フィールドプログラマブルゲートアレイ（ＦＰＧＡ）、複素プログラマブルロジックデバイス（ＣＰＬＤ）などの形式で具現化できる。
【０１０３】
本発明を、上記に幾つかの実施形態を参照して主に記述してきた。しかし、技量を有する当業者には容易に認識されるように、上記に開示した実施形態以外の他の実施形態は、添付される特許請求の範囲により定義されるように、本発明の範囲内であることが同様に可能である。
【図１】
2020513706.tif 000003
【図２】
2020513706.tif 000004
【図３ａ】
2020513706.tif 000005
【図３ｂ】
2020513706.tif 000006
【図４】
2020513706.tif 000007
【図５】
2020513706.tif 000008
【図６ａ】
2020513706.tif 000009
【図６ｂ】
2020513706.tif 000010
【図６ｃ】
2020513706.tif 000011
【図６ｄ】
2020513706.tif 000012
【図７】
2020513706.tif 000013
【図８】
2020513706.tif 000014
【図９】
2020513706.tif 000015
【図１０】
2020513706.tif 000016
【国際調査報告】
2020513706.tif 000017
2020513706.tif 000018
2020513706.tif 000019